(57)【要約】      （修正有）【課題】１枚の紙からなる横帯付きカバーに、折り目線に沿って切欠部を設けることで、カバー本体に生じる歪みやたわみ、ゴワつきを吸収させることができる横帯付きカバーを提供する。【解決手段】ブック類の表表紙から裏表紙を覆う表紙カバー部と、表紙カバー部を超えて横幅方向に延びて表表紙および裏表紙の側端部で内側へ折り込む左右一対の袖用折込み片とを有するカバー本体４と、該カバー本体の上部または下部に一体に連接し該カバー本体の表面側へ折り返す横帯部分５を連設した横帯付きカバーにおいて、少なくとも表表紙および裏表紙の側端部で折り返されるカバー本体４の一対の袖用折り目線Ｌ２に沿って袖用切欠部６が穿設されていることを特徴とする。【選択図】図５
0003215066.tif 000002
【実用新案登録請求の範囲】
【請求項１】
ブック類の表表紙から裏表紙を覆う表紙カバー部と、表紙カバー部を超えて横幅方向に延びて表表紙および裏表紙の側端部で内側へ折り込む左右一対の袖用折込み片とを有するカバー本体と、該カバー本体の上部または下部に一体に連接し該カバー本体の表面側へ折り返す横帯部分を連設した横帯付きカバーにおいて、
少なくとも表表紙および裏表紙の側端部で折り返されるカバー本体の一対の袖用折り目線に沿って、該袖用折り目線の延長線上に伸びる袖用切欠部が穿設されていることを特徴とする横帯付きカバー。
【請求項２】
ブック類の表表紙と裏表紙の間に背表紙用折り目線が１または２つ形成される場合に、背表紙用折り目線に沿って、該背表紙用折り目線の延長線上に伸びる背表紙用切欠部が穿設されていることを特徴とする請求項１に記載の横帯付きカバー。
【請求項３】
ブック類の表表紙と裏表紙の間に左右一対の背表紙折り目線が形成されており、該一対の背表紙用折り目線に沿って、該背表紙用折り目線の延長線上に伸び、前記一対の背表紙用折り目線間を横幅方向につないだ長穴からなる背表紙用切欠部が穿設されていることを特徴とする請求項１または２に記載の横帯付きカバー。
【請求項４】
表表紙および裏表紙の側端部で折り返されるカバー本体の一左右対の袖用折り目線に沿って、該袖用折り目線の延長線上に伸びて前記一対の袖用折り目線間を横幅方向につないだ１つのベルト状の表紙用切欠部が穿設されていることを特徴とする請求項１または２に記載の横帯付きカバー。
【考案の詳細な説明】
【技術分野】
【０００１】
本考案は、ブックカバー等のカバーの上に掛けられる横帯（腰帯）をカバーと一体に形成した横帯付きカバーの改良に関する。
【背景技術】
【０００２】
従来、例えば特開２００６−２６９７８号のブックカバーでは、本の表紙、背表紙、および裏表紙にわたりかつ両端部を表紙および裏表紙の側端部の内側へ折り込み得る長さを有するブックカバーにおいて、このカバーの下部に該カバーの表面側または裏面側へ折り返し得る所要の上下幅を有する折り返し部を連設し、この折り返し部の折り返し面に所要の帯用記載内容を印刷表示として帯用折り返し部とされ、この折り返し部が本の帯として機能するようにするとともに、この折り返し部をカバーの裏面側へ折り返すことにより帯無しのカバーとなるようにした構造が知られている。
上記構成とすることで、印刷面が広く取れる。また、表裏差のある紙、並びに両面印刷した紙をカバーとして効果的に使用できる。
また、帯がズレないので、書店等で陳列する際に、タイトルや著者名がむやみに隠れないし、帯がズレないので、例えば、帯の下をシークレットスペースとしたデザイン可能になるという利点があった。
しかしながら、カバーと横帯とを１枚の紙で成型する場合に、帯部分をカバー部分の外側に折り返して帯として用いると、内側に配置されるカバー部分および外側となる帯部分とは、横方向の両端で折り返して本などの被覆体に掛け止めて使用に供するが、その際に、外側となる帯部分と内側となるカバー部分とは、折り返しに要する長さが僅かに異なるため、横幅が同じ一枚の紙からなるカバー部分と帯部分では横幅方向の長さの差を作り出すことができず、紙に歪みやたわみ、ゴワつきなどが発生してしまい、美粧性が損なわれるという問題点があった。
【先行技術文献】
【特許文献】
【０００３】
【特許文献１】特開２００６−２６９７８号公報
【考案の概要】
【考案が解決しようとする課題】
【０００４】
この考案は上記事情に鑑みて創案されたものであって、その主たる課題は、１枚の紙からなる横帯付きカバーにおいて、横帯部分をカバー部分の外側に折り返した状態で、横幅方向の両端を折り返してブック類にカバーとして掛け止める場合に、歪みやたわみ、ゴワつきが発生することがない横帯付きカバーを提供することにある。
ここで横帯は、書籍用語でいう腰帯をいう。
【課題を解決するための手段】
【０００５】
本考案は、上記課題を解決するために、ブック類の表表紙から裏表紙を覆う表紙カバー部と、表紙カバー部を超えて横幅方向に延びて表表紙および裏表紙の側端部で内側へ折り込む左右一対の袖用折込み片とを有するカバー本体と、該カバー本体の上部または下部に一体に連接し該カバー本体の表面側へ折り返す横帯部分を連設した横帯付きカバーにおいて、
少なくとも表表紙および裏表紙の側端部で折り返されるカバー本体の一対の袖用折り目線に沿って、該袖用折り目線の延長線上に伸びる袖用切欠部が穿設されていることを特徴とする。
また、ブック類の表表紙と裏表紙の間に背表紙用折り目線が１または２つ形成される場合に、背表紙用折り目線に沿って、該背表紙用折り目線の延長線上に伸びる背表紙用切欠部が穿設されていることを特徴とする。
更に、ブック類の表表紙と裏表紙の間に左右一対の背表紙折り目線が形成されており、該一対の背表紙用折り目線に沿って一対の背表紙用折り目線間を横幅方向につないだ長穴からなる背表紙用切欠部が穿設されていることを特徴とする。
また、表表紙および裏表紙の側端部で折り返されるカバー本体の一左右対の袖用折り目線に沿って前記一対の袖用折り目線間を横幅方向につないだ１つのベルト状の表紙用切欠部が穿設されていることを特徴とする。
前記袖用切欠部および背表紙用切欠部は、それらの延長線上に延びる横帯部分の上下幅とほぼ同一の長さに設定されることが好ましい。
【考案の効果】
【０００６】
本考案の横帯付きカバーは、１枚の紙からなっているが、折り目線に沿って切欠部を設けることで、内側となるカバー本体に生じる歪みやたわみ、ゴワつきを吸収させることができる。
また、切欠部はカバー本体に穿設されているので、横帯部分の上下幅とほぼ同一の長さに設定すれば、その上に折り返される横帯部分が重なって切欠部分は塞がれ、外からは見えないので、外観上違和感がなく好ましい。
カバー本体と横帯部分の長さの差を切欠部で吸収できるので、従来の横帯付きカバーより厚い紙でも対応することができる。
【図面の簡単な説明】
【０００７】
【図１】横帯付きカバーを装着した書籍の斜視図である。
【図２】同横帯付きカバーの斜視図である。
【図３】実施例１の横帯付きカバーの展開図である。
【図４】異なる形態の横帯付きカバーの展開図である。
【図５】実施例２の横帯付きカバーの展開図である。
【図６】実施例３の横帯付きカバーの展開図である。
【図７】実施例４の横帯付きカバーの展開図である。
【図８】実施例５の横帯付きカバーの展開図である。
【図９】実施例５の横帯付きカバーの斜視図である。
【図１０】実施例６の上部の角部に切欠部を有する横帯付きカバーの展開図である。
【図１１】実施例６の上下の角部に切欠部を有する横帯付きカバーの展開図である。
【考案を実施するための形態】
【０００８】
以下に、この考案の横帯付きカバー１をブックカバーに適用した好適実施例について図面を参照しながら説明する。
【実施例１】
【０００９】
横帯付きカバー１は、ブック類Ｂの表表紙Ｂ１から裏表紙Ｂ２を覆う表紙カバー部２と、該表紙カバー部２を超えて横幅方向に延びて表表紙Ｂ１および裏表紙Ｂ２の側端部で内側へ折り込む左右一対の袖部となる袖用折込み片３とを有するカバー本体４と、該カバー本体４の下部に一体に連接する横帯部分５とからなっており、カバー本体４と横帯部分５との間に略水平に横幅に沿って一連に延びる帯部折り目線Ｌ１が形成された１枚の紙からなっている。
前記横帯部分５は、前記帯部折り目線Ｌ１に沿って谷折りによりカバー本体４の表面側を覆うように下から上に折り返されて、カバー本体４の下部に二重に重なって形成されている（図２参照）。
【００１０】
この横帯付きカバー１は、図３〜図８の展開図を示すように、前記帯部折り目線Ｌ１と直交して上下幅方向に延びて、少なくとも表表紙Ｂ１および裏表紙Ｂ２の側端部で左右の袖となる袖用折り込み片３を形成するために山折りするための袖用折り目線Ｌ２、Ｌ２が左右一対に形成されている。
そこで、図３の横帯付きカバー１の展開図では、前記帯部折り目線Ｌ１に下端が接して前記一対の袖用折り目線Ｌ２に沿って縦向きに延びる溝状の袖用切欠部６が穿設されている。
【００１１】
この袖用切欠部６は、前記袖用折り目線Ｌ２の上に形成されており、また、前記横帯部分５の縦幅の長さａとほぼ同じ長さ、または僅かに短い長さａ’に設定されている。
これにより、横帯部分５を帯部折り目線Ｌ１に沿って谷折りし、カバー本体４上に重ねて折り返した際に内側となるカバー本体４側の歪みやたわみ、ゴワつきが前記袖用切欠部６によって吸収される。
また、袖用切欠部６は横帯部分５によって覆われるので、外観上に露出せず、美粧性が保たれる。
切欠部６の長さは、カバー本体４側の歪みやたわみ、ゴワつきの吸収をよくするためには横帯部分５の縦幅と同一ないし僅かに短い長さが美観上好ましいが、この考案では前記横帯部分５の縦幅より長く形成するものでもよい。またカバー本体４側の歪みやたわみ、ゴワつきが生じない範囲で前記横帯部分の縦幅より短くてもよい。
【００１２】
図３の実施例では、背表紙側に折り目線を設けない場合を図示したが、カバーの紙が薄い場合には背表紙に対応する折り目線はあってもなくてもよく、切欠部が無くてもよい。
図４の横帯付きカバー１は、背表紙に対応する谷折り用の折り目線Ｌ３が１本からなり、この折り目線Ｌ３上に溝状の１つの背表紙用切欠部７’が穿設されており、その長さは前記袖用切欠部６と同じである。
【実施例２】
【００１３】
図５は、背表紙Ｂ３の厚みに対応して谷折り用の左右一対の背表紙用折り目線Ｌ４、Ｌ４が形成されている。
この背表紙用折り目線Ｌ４には、前記帯部折り目線Ｌ１に下端が接して背表紙用折り目線Ｌ４上に溝状の背表紙用切欠部７がそれぞれ穿設されている。
また、袖用切欠部６は前記図３や図４の実施例と同様であるので、その説明を省略する。
【実施例３】
【００１４】
図６は、図５と同様に、帯部折り目線Ｌ１と、左右一対の袖用折り目線Ｌ２と、左右一対の背表紙用折り目線Ｌ４とが形成されており、袖用折り目線Ｌ２には袖用切欠部６が穿設されている。
そして、一対の背表紙用折り目線Ｌ４に沿って、該一対の背表紙用折り目線Ｌ４間を横幅方向につないだベルト状の背表紙用切欠部８が穿設されている。
これにより折曲げ時の歪みや撓み、ゴワつきなどが生じても幅広の切欠部によって十分に吸収することができる。
【実施例４】
【００１５】
図７は、図５と同様に帯部折り目線Ｌ１と、左右一対の袖用折り目線Ｌ２と、左右一対の背表紙用折り目線Ｌ４とが形成されている。
そして、一対の袖用切欠部６と、一対の背表紙用切欠部７に代えてこれらの全てを一連につなげて１つの長いベルト状の表紙用切欠部９が穿設されている。
【００１６】
この表紙用切欠部９は切欠面積が最も広いので、任意の場所に生じた歪みやたわみ、ゴワつきを完全に吸収させることができる。
一方で切欠面積が広くなるとカバー本体４の強度が弱くなるため、強度を損なわない範囲で切欠面積を設定することが望ましい。
【実施例５】
【００１７】
図８および図９は、上下に横帯部分５’、５を設けた場合である。
ここで、上方の横帯部分５’は、下方の横帯部分５と上下が逆転する点に差があるだけで、これに準じた構成となるので、符号に「’」を付してその説明を省略する。
【００１８】
図示例では、図５の構成を上下対称に設けているが、その他の実施例の構成を上下に設けてもよい。
また、図示しないが、上方の横帯部分５’だけを設け、下方の横帯部分５は設けなくてもよい。
【実施例６】
【００１９】
図１０は、カバー本体４の上部両端を円弧状に面取りした面取部１０を有する構成からなっている。
面取部１０は斜めに切り欠いた形状でもよい。
これは、袖用折り目線Ｌ２にも幅があるため、Ｌ２で山折りした際にＬ１に対して正確な直行とならない場合があり、その際に折曲り片３の上端角部がブック類からはみ出す場合があるので、角を丸め、又は、斜めに切欠くことで、外にはみださないようにしている。  図１１は、上下両端の四隅に面取部１０、１０’を形成した構成からなっている。
これにより、地側を折り返した際にも紙端角部がはみ出さないようにすることができる。
【００２０】
この実施例で形成される切欠部は、図５の基本形を例示したが、その他の実施例の異なる切欠部や折り目線を用いたものでもよい。
また上記実施例で、袖用切欠部６、背表紙用切欠部７，７’、８、表紙用切欠部の長さは、その下に連接される帯部分の上下幅の長さ、および横幅は、カバーの原紙の種類に応じて歪みやたわみ、ゴワつきを吸収しうる長さと横幅であればよい。
また、この発明でブック類とは、本に限らず日記帳、台帳・通帳・手帳・筆記帳・練習帳・大福帳・出納帳その他のものでカバーにより表紙を覆って使用するものを含む。
その他、要するにこの考案の要旨を変更しない範囲で種々設計変更しうること勿論である。
【符号の説明】
【００２１】
１    横帯付きカバー
２    表紙カバー部
３    袖用折込み片
４    カバー本体
５    横帯部分
６    袖用切欠部
７    背表紙用切欠部
８    ベルト状の背表紙用切欠部
９    ベルト状の表紙用切欠部
１０、１０’面取部
Ｂ    ブック類
Ｂ１  表表紙
Ｂ２  裏表紙
Ｂ３  背表紙
Ｌ１  帯部折り目線
Ｌ２  袖用折り目線
Ｌ３  背表紙に対応する折り目線
Ｌ４  背表紙用折り目線
【図１】
0003215066.tif 000003
【図２】
0003215066.tif 000004
【図３】
0003215066.tif 000005
【図４】
0003215066.tif 000006
【図５】
0003215066.tif 000007
【図６】
0003215066.tif 000008
【図７】
0003215066.tif 000009
【図８】
0003215066.tif 000010
【図９】
0003215066.tif 000011
【図１０】
0003215066.tif 000012
【図１１】
0003215066.tif 000013